(57)【要約】【課題】画質を高めることができる表示装置を得る。【解決手段】本開示の表示装置は、複数の補正テーブルを有し、第１の輝度情報に基づいて複数の補正テーブルのうちの１つを選択し、選択した補正テーブルを用いて第１の輝度情報に対して補正演算を行うことにより第２の輝度情報を生成する補正部と、第２の輝度情報に基づいて表示を行う表示部とを備える。【選択図】図２
2016212239.tif 000002
【特許請求の範囲】
【請求項１】
複数の補正テーブルを有し、第１の輝度情報に基づいて前記複数の補正テーブルのうちの１つを選択し、選択した補正テーブルを用いて前記第１の輝度情報に対して補正演算を行うことにより第２の輝度情報を生成する補正部と、
前記第２の輝度情報に基づいて表示を行う表示部と
を備えた表示装置。
【請求項２】
前記第１の輝度情報に基づいて制御信号を生成する制御信号生成部と、
前記第２の輝度情報に対して、前記制御信号に応じた演算を行うことにより第３の輝度情報を生成する演算部と
をさらに備え、
前記補正部は、前記制御信号に基づいて、前記複数の補正テーブルのうちの１つを選択し、
前記表示部は、前記第３の輝度情報に基づいて表示を行う
請求項１に記載の表示装置。
【請求項３】
前記演算部は、前記第２の輝度情報の値に対して、前記制御信号に応じたゲインを乗算することにより前記第３の輝度情報を生成する
請求項２に記載の表示装置。
【請求項４】
前記表示部は、前記制御信号に応じた輝度で発光する発光素子を有する
請求項２に記載の表示装置。
【請求項５】
前記表示部は、前記第３の輝度情報に基づいて、前記第３の輝度情報に応じたパルス幅を有するパルス信号を生成し、そのパルス信号に基づいて前記発光素子を駆動する駆動部をさらに有する
請求項４に記載の表示装置。
【請求項６】
のこぎり波形を有する参照信号を生成する信号生成部をさらに備え、
前記駆動部は、前記第３の輝度情報および前記参照信号に基づいて、前記パルス信号を生成する
請求項５に記載の表示装置。
【請求項７】
前記制御信号に応じた輝度で発光するバックライトをさらに備え、
前記表示部は、液晶表示部である
請求項２に記載の表示装置。
【請求項８】
第１の輝度情報に基づいて複数の補正テーブルのうちの１つを選択し、
選択した補正テーブルを用いて前記第１の輝度情報に対して補正演算を行うことにより第２の輝度情報を生成し、
前記第２の輝度情報に基づいて表示を行う
表示方法。
【請求項９】
表示装置と、
前記表示装置に対して動作制御を行う制御部と
を備え、
前記表示装置は、
複数の補正テーブルを有し、第１の輝度情報に基づいて前記複数の補正テーブルのうちの１つを選択し、選択した補正テーブルを用いて前記第１の輝度情報に対して補正演算を行うことにより第２の輝度情報を生成する補正部と、
前記第２の輝度情報に基づいて表示を行う表示部と
を有する電子機器。
【発明の詳細な説明】
【技術分野】
【０００１】
本開示は、画像を表示する表示装置、そのような表示装置において用いられる表示方法、および、そのような表示装置を備えた電子機器に関する。
【背景技術】
【０００２】
表示装置は、一般に画質が高いことが望まれている。例えば、特許文献１には、発光素子に流れる電流、およびその発光素子の発光時間の両方を変化させることにより、階調表示におけるダイナミックレンジの拡大を図る表示装置が開示されている。また、例えば、特許文献２には、液晶パネルと、フレーム内の画素値の最大値および最小値に応じた発光量で発光するバックライトとを備えた表示装置が開示されている。
【先行技術文献】
【特許文献】
【０００３】
【特許文献１】特開２０００−５６７２７号公報
【特許文献２】特開２０１４−２２２３２２号公報
【発明の概要】
【発明が解決しようとする課題】
【０００４】
このように、表示装置では、画質が高いことが望まれており、さらなる画質の向上が期待されている。
【０００５】
本開示はかかる問題点に鑑みてなされたもので、その目的は、画質を高めることができる表示装置、表示方法、および電子機器を提供することにある。
【課題を解決するための手段】
【０００６】
本開示の表示装置は、補正部と、表示部とを備えている。補正部は、複数の補正テーブルを有し、第１の輝度情報に基づいて複数の補正テーブルのうちの１つを選択し、選択した補正テーブルを用いて第１の輝度情報に対して補正演算を行うことにより第２の輝度情報を生成するものである。表示部は、第２の輝度情報に基づいて表示を行うものである。
【０００７】
本開示の表示方法は、第１の輝度情報に基づいて複数の補正テーブルのうちの１つを選択し、選択した補正テーブルを用いて第１の輝度情報に対して補正演算を行うことにより第２の輝度情報を生成し、第２の輝度情報に基づいて表示を行うものである。
【０００８】
本開示の電子機器は、上記表示装置を備えたものであり、例えば、テレビジョン装置、電子ブック、スマートフォン、デジタルカメラ、ノート型パーソナルコンピュータ、ビデオカメラ、ヘッドマウントディスプレイなどが該当する。
【０００９】
本開示の表示装置、表示方法、および電子機器では、第１の輝度情報に対して補正演算が行われることにより、第２の補正情報が生成され、第２の輝度情報に基づいて表示が行われる。その際、第１の輝度情報に基づいて複数の補正テーブルのうちの１つが選択され、選択された補正テーブルを用いて第２の輝度情報が生成される。
【発明の効果】
【００１０】
本開示の表示装置、表示方法、および電子機器によれば、第１の輝度情報に基づいて複数の補正テーブルのうちの１つを選択し、選択した補正テーブルを用いて第１の輝度情報に対してに対して補正演算を行うようにしたので、画質を高めることができる。なお、ここに記載された効果は必ずしも限定されるものではなく、本開示中に記載されたいずれの効果があってもよい。
【図面の簡単な説明】
【００１１】
【図１】本開示の第１の実施の形態に係る表示装置の一構成例を表すブロック図である。
【図２】図１に示した画像処理部の一構成例を表すブロック図である。
【図３】図２に示した画像処理部の一動作例を表す説明図である。
【図４】図１に示した参照信号の一例を表す波形図である。
【図５】図１に示した画素の一構成例を表すブロック図である。
【図６】図５に示した駆動部の一動作例を表すタイミング波形図である。
【図７】図５に示した駆動部の一動作例を表すタイミング波形図である。
【図８】第２の実施の形態に係る表示装置の一構成例を表すブロック図である。
【図９】実施の形態に係る表示装置の適用例の外観構成を表す斜視図である。
【発明を実施するための形態】
【００１２】
以下、本開示の実施の形態について、図面を参照して詳細に説明する。なお、説明は以下の順序で行う。
１．第１の実施の形態
２．第２の実施の形態
３．適用例
【００１３】
＜１．第１の実施の形態＞
［構成例］
図１は、第１の実施の形態に係る表示装置（表示装置１）の一構成例を表すものである。表示装置１は、ＬＥＤ（Light Emitting Diode）を表示素子として用いたものである。なお、本開示の実施の形態に係る表示方法は、本実施の形態により具現化されるので、併せて説明する。
【００１４】
表示装置１は、画像処理部２０と、タイミング制御部１１と、表示駆動部１２と、表示部１３を備えている。表示装置１は、画像信号Ｓpicに基づいて、画像を表示するものである。画像信号Ｓpicは、輝度情報ＩＮＦＲ，ＩＮＦＧ，ＩＮＦＢを含んでいる。輝度情報ＩＮＦＲは赤色（Ｒ）の輝度値を示すものであり、輝度情報ＩＮＦＧは緑色（Ｇ）の輝度値を示すものであり、輝度情報ＩＮＦＢは青色（Ｂ）の輝度値を示すものである。輝度情報ＩＮＦＲ，ＩＮＦＧ，ＩＮＦＢは、それぞれ、０以上、値ＩＮＦmax以下の値を有するものである。以下、輝度情報ＩＮＦＲ，ＩＮＦＧ，ＩＮＦＢのいずれかを表すものとして輝度情報ＩＮＦを適宜用いる。
【００１５】
画像処理部２０は、画像信号Ｓpicに基づいて、画像信号Ｓpic3および制御信号Ｓctrlを生成するものである。
【００１６】
図２は、画像処理部２０の一構成例を表すものである。画像処理部２０は、制御信号生成部２１と、補正部２２と、演算部２３とを有している。
【００１７】
制御信号生成部２１は、画像信号Ｓpicに基づいて制御信号Ｓctrlを生成するものである。具体的には、制御信号生成部２１は、画像信号Ｓpicに含まれる輝度情報ＩＮＦの値を、所定のしきい値ＩＮＦthと比較する。そして、制御信号生成部２１は、輝度情報ＩＮＦの値がしきい値ＩＮＦthよりも大きい場合には、値が“１”である制御信号Ｓctrlを生成し、輝度情報ＩＮＦの値がしきい値ＩＮＦth以下である場合には、値が“０”である制御信号Ｓctrlを生成するようになっている。ここで、しきい値ＩＮＦthは、例えば、値ＩＮＦmaxの２０分の１（ＩＮＦth＝ＩＮＦmax／２０）に設定することができる。
【００１８】
補正部２２は、制御信号Ｓctrlに基づいて、画像信号Ｓpicに含まれる輝度情報ＩＮＦ（ＩＮＦＲ，ＩＮＦＧ，ＩＮＦＢ）を補正することにより、輝度情報ＩＮＦ２（ＩＮＦＲ２，ＩＮＦＧ２，ＩＮＦＢ２）を生成するものである。補正部２２は、補正テーブルＴ１，Ｔ２を有している。補正テーブルＴ１，Ｔ２は、表示部１３における発光素子４０（後述）の特性ばらつきを補正するとともに、駆動電流による発光素子４０の色度変化を補正するためのものである。補正テーブルＴ１，Ｔ２のそれぞれは、表示部１３における発光素子４０の数に対応する数の補正データＤを含んでいる。補正テーブルＴ１は、輝度情報ＩＮＦの値がしきい値ＩＮＦthよりも大きい場合に用いるものであり、補正テーブルＴ２は、輝度情報ＩＮＦの値がしきい値ＩＮＦth以下である場合に用いるものである。
【００１９】
この構成により、補正部２２は、まず、制御信号Ｓctrlに基づいて、補正テーブルＴ１，Ｔ２のうちの使用する補正テーブルを選択する。具体的には、制御信号Ｓctrlの値が“１”である場合には、補正テーブルＴ１を選択し、制御信号Ｓctrlの値が“０”である場合には、補正テーブルＴ２を選択する。そして、補正部２２は、選択した補正テーブルに含まれる補正データＤに基づいて、輝度情報ＩＮＦを補正することにより、輝度情報ＩＮＦ２を生成する。そして、補正部２２は、これらの輝度情報ＩＮＦ２を、画像信号Ｓpic2として出力するようになっている。
【００２０】
演算部２３は、制御信号Ｓctrlに基づいて、画像信号Ｓpic2に含まれる輝度情報ＩＮＦ２（ＩＮＦＲ２，ＩＮＦＧ２，ＩＮＦＢ２）に対して演算を行うことにより、輝度情報ＩＮＦ３（ＩＮＦＲ３，ＩＮＦＧ３，ＩＮＦＢ３）を生成するものである。具体的には、演算部２３は、制御信号Ｓctrlの値が“１”である場合には、輝度情報ＩＮＦ２の値に対してゲインＧ１を乗算することにより輝度情報ＩＮＦ３を生成する。ゲインＧ１は、この例では“１”である。また、演算部２３は、制御信号Ｓctrlの値が“０”である場合には、輝度情報ＩＮＦ２の値に対してゲインＧ２を乗算することにより輝度情報ＩＮＦ３を生成する。ゲインＧ２は、この例では“２０”である。そして、演算部２３は、輝度情報ＩＮＦ３を、画像信号Ｓpic3として出力するようになっている。
【００２１】
図３は、演算部２３の一動作例を表すものである。この例では、補正部２２は、説明の便宜上、輝度情報ＩＮＦに対して補正を行わず、輝度情報ＩＮＦを輝度情報ＩＮＦ２として出力している。輝度情報ＩＮＦの値がしきい値ＩＮＦthよりも大きい場合には、演算部２３が出力する輝度情報ＩＮＦ３の値は、輝度情報ＩＮＦ２の値と同じである。また、輝度情報ＩＮＦの値がしきい値ＩＮＦth以下である場合には、輝度情報ＩＮＦ３の値は、この例では、輝度情報ＩＮＦ２の値の２０倍になる。このように、演算部２３は、輝度情報ＩＮＦの値が低い場合に、高いゲインＧ２を用いることにより、輝度情報ＩＮＦ３の値を高くする。これにより、表示装置１では、後述するように、輝度情報ＩＮＦの値が低い場合において、画質が低下するおそれを低減するようになっている。
【００２２】
タイミング制御部１１（図１）は、画像信号Ｓpicに基づいて、表示駆動部１２および表示部１３がお互いに同期して動作するように制御するものである。具体的には、タイミング制御部１１は、表示駆動部１２に対して制御信号を供給するとともに、表示部１３に対して参照信号Ｓrefを供給するようになっている。
【００２３】
図４は、参照信号Ｓrefの波形の一例を表すものである。参照信号Ｓrefは、いわゆるのこぎり波形を有するものである。タイミング制御部１１は、このような波形を有する参照信号Ｓrefを生成し、表示部１３に対して供給するようになっている。
【００２４】
表示駆動部１２は、画像信号Ｓpic3、およびタイミング制御部１１から供給された制御信号に基づいて、画素信号Ｓigを生成し、その画素信号Ｓigを表示部１３に供給するものである。
【００２５】
表示部１３は、画素信号Ｓig、制御信号Ｓctrl、および参照信号Ｓrefに基づいて画像を表示するものである。表示部１３は、マトリックス状に配置された複数の画素Ｐixを有している。
【００２６】
図５は、画素Ｐixの一構成例を表すものである。画素Ｐixは、駆動部３０と、３つの発光素子４０（４０Ｒ，４０Ｇ，４０Ｂ）とを有している。
【００２７】
駆動部３０は、画素信号Ｓig、制御信号Ｓctrl、および参照信号Ｓrefに基づいて、発光素子４０Ｒ，４０Ｇ，４０Ｂに、駆動電流をそれぞれ供給するものである。駆動部３０は、制御部３１と、コンパレータ３２１〜３２３と、スイッチ制御部３３１〜３３３と、電流源３４１〜３４６と、スイッチ３５１〜３５６とを有している。
【００２８】
制御部３１は、画素信号Ｓigおよび制御信号Ｓctrlに基づいて、画素電圧ＶpixＲ，ＶpixＧ，ＶpixＧおよびスイッチ制御信号ＳＥＬＲ，ＳＥＬＧ，ＳＥＬＢを生成するものである。具体的には、制御部３１は、画素信号Ｓigに含まれる、この画素Ｐixの輝度情報ＩＮＦＲ３，ＩＮＦＧ３，ＩＮＦＢ３に基づいて、Ｄ／Ａ（Digital/Analog）変換を行うことにより、画素電圧ＶpixＲ，ＶpixＧ，ＶpixＢをそれぞれ生成する。また、制御部３１は、制御信号Ｓctrlに基づいて、スイッチ制御信号ＳＥＬＲ，ＳＥＬＧ，ＳＥＬＢを生成する。具体的には、制御部３１は、この画素Ｐixの輝度情報ＩＮＦＲ３に対応する制御信号Ｓctrlをスイッチ制御信号ＳＥＬＲとして出力し、この画素Ｐixの輝度情報ＩＮＦＧ３に対応する制御信号Ｓctrlをスイッチ制御信号ＳＥＬＧとして出力し、この画素Ｐixの輝度情報ＩＮＦＢ３に対応する制御信号Ｓctrlをスイッチ制御信号ＳＥＬＢとして出力するようになっている。
【００２９】
コンパレータ３２１は、画素電圧ＶpixＲと参照信号Ｓrefとを比較することによりパルス信号ＳＲを生成するものである。コンパレータ３２２は、画素電圧ＶpixＧと参照信号Ｓrefとを比較することによりパルス信号ＳＧを生成するものである。コンパレータ３２３は、画素電圧ＶpixＢと参照信号Ｓrefとを比較することによりパルス信号ＳＢを生成するものである。
【００３０】
図６は、コンパレータ３２１の一動作例を表すものである。なお、コンパレータ３２２，３２３についても同様である。コンパレータ３２１は、画素電圧ＶpixＲと参照信号Ｓrefとを比較することによりパルス信号ＳＲを生成する。例えば、画素電圧ＶpixＲが中程度（画素電圧ＶpixＲ１）である場合には、パルス信号ＳＲ（パルス信号ＳＲ１）のデューティ比は５０％程度になる。また、例えば、画素電圧ＶpixＲが低い場合（画素電圧ＶpixＲ２）である場合には、パルス信号ＳＲ（パルス信号ＳＲ２）のデューティ比は小さくなる。このように、コンパレータ３２１は、画素電圧ＶpixＲに応じたパルス幅を有するパルス信号ＳＲを生成するようになっている。
【００３１】
スイッチ制御部３３１（図５）は、スイッチ制御信号ＳＥＬＲおよびパルス信号ＳＲに基づいて、スイッチ３５１，３５２を制御するものである。具体的には、スイッチ制御部３３１は、スイッチ制御信号ＳＥＬＲが“１”である場合には、パルス信号ＳＲに基づいてスイッチ３５１をオンオフ制御するとともに、スイッチ３５２をオフ状態に維持する。また、スイッチ制御部３３１は、スイッチ制御信号ＳＥＬＲが“０”である場合には、パルス信号ＳＲに基づいてスイッチ３５２をオンオフ制御するとともに、スイッチ３５１をオフ状態に維持するようになっている。
【００３２】
同様に、スイッチ制御部３３２は、スイッチ制御信号ＳＥＬＧおよびパルス信号ＳＧに基づいて、スイッチ３５３，３５４を制御するものである。具体的には、スイッチ制御部３３２は、スイッチ制御信号ＳＥＬＧが“１”である場合には、パルス信号ＳＧに基づいてスイッチ３５３をオンオフ制御するとともに、スイッチ３５４をオフ状態に維持する。また、スイッチ制御部３３２は、スイッチ制御信号ＳＥＬＧが“０”である場合には、パルス信号ＳＧに基づいてスイッチ３５４をオンオフ制御するとともに、スイッチ３５３をオフ状態に維持するようになっている。
【００３３】
同様に、スイッチ制御部３３３は、スイッチ制御信号ＳＥＬＢおよびパルス信号ＳＢに基づいて、スイッチ３５５，３５６を制御するものである。具体的には、スイッチ制御部３３３は、スイッチ制御信号ＳＥＬＢが“１”である場合には、パルス信号ＳＢに基づいてスイッチ３５５をオンオフ制御するとともに、スイッチ３５６をオフ状態に維持する。また、スイッチ制御部３３３は、スイッチ制御信号ＳＥＬＢが“０”である場合には、パルス信号ＳＢに基づいてスイッチ３５６をオンオフ制御するとともに、スイッチ３５５をオフ状態に維持するようになっている。
【００３４】
電流源３４１，３４３，３４５は、一端から他端へ、所定の駆動電流Ｉ１を流すものである。電流源３４２，３４４，３４６は、一端から他端へ、所定の駆動電流Ｉ２を流すものである。駆動電流Ｉ１の値は、例えば１００［μＡ］であり、駆動電流Ｉ２の値は、例えば５［μＡ］である。すなわち、この例では、駆動電流Ｉ２の電流値は、駆動電流Ｉ１の“１／２０”である。この駆動電流Ｉ１，Ｉ２の比Ｉ２／Ｉ１（＝１／２０）は、上述した演算部２３におけるゲインＧ１，Ｇ２の比Ｇ１／Ｇ２（＝１／２０）と対応するものである。
【００３５】
電流源３４１の一端には電源電圧ＶＤＤが印加され、他端はスイッチ３５１の一端に接続されている。電流源３４２の一端には電源電圧ＶＤＤが印加され、他端はスイッチ３５２の一端に接続されている。電流源３４３の一端には電源電圧ＶＤＤが印加され、他端はスイッチ３５３の一端に接続されている。電流源３４４の一端には電源電圧ＶＤＤが印加され、他端はスイッチ３５４の一端に接続されている。電流源３４５の一端には電源電圧ＶＤＤが印加され、他端はスイッチ３５５の一端に接続されている。電流源３４６の一端には電源電圧ＶＤＤが印加され、他端はスイッチ３５６の一端に接続されている。
【００３６】
スイッチ３５１は、スイッチ制御部３３１から供給される制御信号に基づいて一端と他端との間をオンオフするものであり、一端は電流源３４１の他端に接続され、他端はスイッチ３５２の他端に接続されるとともに、発光素子４０Ｒのアノードに接続されている。スイッチ３５２は、スイッチ制御部３３１から供給される制御信号に基づいて一端と他端との間をオンオフするものであり、一端は電流源３４２の他端に接続され、他端はスイッチ３５１の他端に接続されるとともに、発光素子４０Ｒのアノードに接続されている。
【００３７】
スイッチ３５３は、スイッチ制御部３３２から供給される制御信号に基づいて一端と他端との間をオンオフするものであり、一端は電流源３４３の他端に接続され、他端はスイッチ３５４の他端に接続されるとともに、発光素子４０Ｇのアノードに接続されている。スイッチ３５４は、スイッチ制御部３３２から供給される制御信号に基づいて一端と他端との間をオンオフするものであり、一端は電流源３４４の他端に接続され、他端はスイッチ３５３の他端に接続されるとともに、発光素子４０Ｇのアノードに接続されている。
【００３８】
スイッチ３５５は、スイッチ制御部３３３から供給される制御信号に基づいて一端と他端との間をオンオフするものであり、一端は電流源３４５の他端に接続され、他端はスイッチ３５６の他端に接続されるとともに、発光素子４０Ｂのアノードに接続されている。スイッチ３５６は、スイッチ制御部３３３から供給される制御信号に基づいて一端と他端との間をオンオフするものであり、一端は電流源３４６の他端に接続され、他端はスイッチ３５５の他端に接続されるとともに、発光素子４０Ｂのアノードに接続されている。
【００３９】
発光素子４０Ｒ，４０Ｇ，４０Ｂは、例えばＬＥＤを用いて構成されるものであり、供給された駆動電流に基づいて発光するものである。発光素子４０Ｒは、赤色（Ｒ）の光を射出するものであり、アノードはスイッチ３５１の他端およびスイッチ３５２の他端に接続され、カソードは接地されている。同様に、発光素子４０Ｇは、緑色（Ｇ）の光を射出するものであり、アノードはスイッチ３５３の他端およびスイッチ３５４の他端に接続され、カソードは接地されている。発光素子４０Ｂは、青色（Ｂ）の光を射出するものであり、アノードはスイッチ３５５の他端およびスイッチ３５６の他端に接続され、カソードは接地されている。
【００４０】
この構成により、駆動部３０は、画素電圧ＶpixＲに応じた長さの期間において、駆動電流を発光素子４０Ｒに供給する。その際、駆動部３０は、信号ＳＥＬＲに応じて、電流源３４１，３４２のうちの一方を選択し、その選択された電流源が駆動電流を発光素子４０Ｒに供給する。これにより、発光素子４０Ｒは、画素電圧ＶpixＲに応じた長さの期間において、駆動電流に応じた輝度で発光する。同様に、駆動部３０は、画素電圧ＶpixＧに応じた長さの期間において、信号ＳＥＬＧに応じた電流値の駆動電流を、発光素子４０Ｇに供給する。これにより、発光素子４０Ｇは、画素電圧ＶpixＧに応じた長さの期間において、駆動電流に応じた輝度で発光する。また、駆動部３０は、画素電圧ＶpixＢに応じた長さの期間において、信号ＳＥＬＢに応じた電流値の駆動電流を、発光素子４０Ｇに供給する。これにより、発光素子４０Ｂは、画素電圧ＶpixＢに応じた長さの期間において、駆動電流に応じた輝度で発光するようになっている。
【００４１】
ここで、輝度情報ＩＮＦは、本開示における「第１の輝度情報」の一具体例に対応する。輝度情報ＩＮＦ２は、本開示における「第２の輝度情報」の一具体例に対応する。輝度情報ＩＮＦ３は、本開示における「第３の輝度情報」の一具体例に対応する。タイミング制御部１１は、本開示における「信号生成部」の一具体例に対応する。
【００４２】
［動作および作用］
続いて、本実施の形態の表示装置１の動作および作用について説明する。
【００４３】
（全体動作概要）
まず、図１，２，５を参照して、表示装置１の全体動作概要を説明する。画像処理部２０（図１）は、画像信号Ｓpicに基づいて、画像信号Ｓpic3および制御信号Ｓctrlを生成する。具体的には、制御信号生成部２１（図２）が、画像信号Ｓpicに基づいて制御信号Ｓctrlを生成する。補正部２２は、補正テーブルＴ１，Ｔ２のうちの、制御信号Ｓctrlに応じた補正テーブルを用いて、画像信号Ｓpicに含まれる輝度情報ＩＮＦ（ＩＮＦＲ，ＩＮＦＧ，ＩＮＦＢ）を補正することにより、輝度情報ＩＮＦ２（ＩＮＦＲ２，ＩＮＦＧ２，ＩＮＦＢ２）を生成する。演算部２３は、輝度情報ＩＮＦ２の値に対して、ゲインＧ１，Ｇ２のうちの、制御信号Ｓctrlに応じたゲインを乗算することにより、輝度情報ＩＮＦ３（ＩＮＦＲ３，ＩＮＦＧ３，ＩＮＦＢ３）を生成する。そして、演算部２３は、この輝度情報ＩＮＦ３を、画像信号Ｓpic３として出力する。タイミング制御部１１（図１）は、表示駆動部１２に対して制御信号を供給するとともに、表示部１３に対して参照信号Ｓrefを供給する。表示駆動部１２は、画像信号Ｓpic3に基づいて画素信号Ｓigを生成する。
【００４４】
表示部１３は、画素信号Ｓig、制御信号Ｓctrl、および参照信号Ｓrefに基づいて画像を表示する。画素Ｐixの制御部３１（図５）は、画素信号Ｓigおよび制御信号Ｓctrlに基づいて、画素電圧ＶpixＲ，ＶpixＧ，ＶpixＧおよびスイッチ制御信号ＳＥＬＲ，ＳＥＬＧ，ＳＥＬＢを生成する。コンパレータ３２１は、画素電圧ＶpixＲと参照信号Ｓrefとを比較することによりパルス信号ＳＲを生成する。スイッチ制御部３３１は、スイッチ制御信号ＳＥＬＲおよびパルス信号ＳＲに基づいて、スイッチ３５１，３５２を制御する。発光素子４０Ｒは、電流源３４１，３４２から供給された駆動電流に基づいて発光する。コンパレータ３２２は、画素電圧ＶpixＧと参照信号Ｓrefとを比較することによりパルス信号ＳＧを生成する。スイッチ制御部３３２は、スイッチ制御信号ＳＥＬＧおよびパルス信号ＳＧに基づいて、スイッチ３５３，３５４を制御する。発光素子４０Ｇは、電流源３４３，３４４から供給された駆動電流に基づいて発光する。コンパレータ３２３は、画素電圧ＶpixＢと参照信号Ｓrefとを比較することによりパルス信号ＳＢを生成する。スイッチ制御部３３３は、スイッチ制御信号ＳＥＬＢおよびパルス信号ＳＢに基づいて、スイッチ３５５，３５６を制御する。発光素子４０Ｂは、電流源３４５，３４６から供給された駆動電流に基づいて発光する。
【００４５】
（詳細動作）
表示装置１では、輝度情報ＩＮＦの値に応じて、補正テーブルＴ１，Ｔ２、ゲインＧ１，Ｇ２、駆動電流Ｉ１，Ｉ２を切り替える。具体的には、表示装置１は、輝度情報ＩＮＦの値がしきい値ＩＮＦthよりも大きい場合には、補正テーブルＴ１、ゲインＧ１、および駆動電流Ｉ１を用いる。ここで、ゲインＧ１は、例えば“１”であり、駆動電流Ｉ１は、例えば１００［μＡ］である。また、表示装置１は、輝度情報ＩＮＦの値がしきい値ＩＮＦth以下である場合には、補正テーブルＴ２，ゲインＧ２、および駆動電流Ｉ２を用いる。ここで、ゲインＧ２は、例えば“２０”であり、駆動電流Ｉ２は、例えば５［μＡ］である。すなわち、表示装置１は、輝度情報ＩＮＦの値がしきい値ＩＮＦthよりも大きい場合には、ゲインを小さくするとともに駆動電流を大きくし、輝度情報ＩＮＦの値がしきい値ＩＮＦth以下である場合には、ゲインを大きくするとともに駆動電流を小さくする。これにより、表示装置１では、以下に説明するように、輝度情報ＩＮＦの値が低い場合において、画質が低下するおそれを低減することができる。
【００４６】
図７は、輝度情報ＩＮＦＲの値が低い場合におけるパルス信号ＳＲの波形を表すものである。輝度情報ＩＮＦＲの値が低い場合には、画素電圧ＶpixＲもまた低くなる。図７に示したように、画素電圧ＶpixＲが低い場合には、パルス信号ＳＲのデューティ比が小さくなる。参照信号Ｓrefは、いわゆるのこぎり波形を有するものである。よって、寄生抵抗や寄生容量の影響を受け、例えば、図７に示した部分Ｗの波形がなまってしまうおそれがある。このように波形の一部がなまってしまった場合には、パルス信号ＳＲのデューティ比は、画素電圧ＶpixＲに対応する理想的なデューティ比からずれてしまい、その結果、画質が低下するおそれがある。
【００４７】
表示装置１では、輝度情報ＩＮＦの値がしきい値ＩＮＦth以下である場合には、輝度情報ＩＮＦ２に、大きいゲインＧ２を乗算することにより、輝度情報ＩＮＦ３を生成する。これにより、表示装置１では、例えば、画素電圧ＶpixＲが高くなるため、輝度情報ＩＮＦＲの値が低い場合でも、図７に示した部分Ｗを使用する機会が少なくなる。その結果、表示装置１では、パルス信号ＳＲのデューティ比が、画素電圧ＶpixＲに対応する理想的なデューティ比からずれるおそれを低減することができ、画質を高めることができる。
【００４８】
また、表示装置１では、輝度情報ＩＮＦの値に応じて、補正テーブルＴ１，Ｔ２を切り替えるようにしたので、画質を高めることができる。すなわち、まず、表示装置１では、ゲインＧ１，Ｇ２の切り替えに応じて、駆動電流Ｉ１，Ｉ２を切り替える。発光素子は、一般に、駆動電流が変化すると、輝度が変化するだけでなく、色度が変化するおそれがある。表示装置１では、輝度情報ＩＮＦの値に応じて、駆動電流Ｉ１，Ｉ２を切り替えるとともに、補正テーブルＴ１，Ｔ２を切り替えるようにしたので、駆動電流に応じて色度の変化を補正することができるため、画質を高めることができる。
【００４９】
［効果］
以上のように本実施の形態では、輝度情報の値に応じて、ゲインおよび駆動電流を切り替えるようにしたので、画質を高めることができる。
【００５０】
本実施の形態では、輝度情報の値に応じて、補正テーブルを切り替えるようにしたので、色度を補正することができるため、画質を高めることができる。
【００５１】
［変形例１−１］
上記実施の形態では、ＬＥＤを用いて発光素子４０を構成したが、これに限定されるものではなく、例えば、レーザダイオードや、ＥＬ（Electro Luminescence）素子などを用いて構成してもよい。
【００５２】
［変形例１−２］
上記実施の形態では、２つの補正テーブルＴ１，Ｔ２を設けたが、これに限定されるものではなく、これに代えて、例えば３つ以上の補正テーブルを設けてもよい。具体的には、例えば、輝度情報ＩＮＦの値に応じて、３つの補正テーブルのうちの１つを選択し、３つのゲインのうちの１つを選択し、３つの駆動電流のうちの１つを選択するようにしてもよい。
【００５３】
＜２．第２の実施の形態＞
次に、第２の実施の形態に係る表示装置２について説明する。本実施の形態は、本技術を液晶表示装置に適用したものである。なお、上記第１の実施の形態に係る表示装置と実質的に同一の構成部分には同一の符号を付し、適宜説明を省略する。
【００５４】
図８は、表示装置２の一構成例を表すものである。表示装置２は、画像処理部５０と、タイミング制御部４１と、表示駆動部４２と、走査部４３と、液晶表示部４４と、バックライト４５とを有している。
【００５５】
画像処理部５０は、図２に示したように、制御信号生成部５１を有している。制御信号生成部５１は、画像信号Ｓpicに基づいて、１フレーム分の輝度情報ＩＮＦの値の平均値ＡＶＧを求め、その平均値ＡＶＧと所定のしきい値ＩＮＦthと比較することにより、制御信号Ｓctrlを生成するものである。具体的には、制御信号生成部５１は、平均値ＡＶＧがしきい値ＩＮＦthよりも大きい場合には、値が“１”である制御信号Ｓctrlを生成し、平均値ＡＶＧがしきい値ＩＮＦth以下である場合には、値が“０”である制御信号Ｓctrlを生成するようになっている。
【００５６】
タイミング制御部４１は、画像信号Ｓpicに基づいて、表示駆動部４２および走査部４３に対してそれぞれ制御信号を供給することにより、表示駆動部４２および走査部４３がお互いに同期して動作するように制御するものである。
【００５７】
表示駆動部４２は、画像信号Ｓpic3、およびタイミング制御部４１から供給された制御信号に基づいて、輝度情報ＩＮＦ３に対してＤ／Ａ変換を行うことにより、画素電圧Ｖpixを生成するものである。そして、表示駆動部４２を、その画素電圧Ｖpixを、画素信号Ｓig2として出力するようになっている。
【００５８】
走査部３２は、タイミング制御部４１から供給された制御信号に基づいて、液晶表示部４４の画素Ｐix2（後述）をライン単位で選択するための走査信号Ｓcanを生成するものである。
【００５９】
液晶表示部４４は、画素信号Ｓig2および走査信号Ｓcanに基づいて画像を表示するものである。液晶表示部４４は、マトリックス状に配置された複数の画素Ｐix2を有している。画素Ｐix2は、赤色の光を透過させるサブ画素と、緑色の光を透過させるサブ画素と、青色の光を透過させるサブ画素とを有している。各サブ画素は、画素電圧Ｖpixに基づいて、バックライト４５から射出された光の透過率を変化させるものである。
【００６０】
バックライト４５は、液晶表示部４４に対して白色光を射出するものである。バックライト４５は、例えば、赤色の光を射出するＬＥＤと、緑色の光を射出するＬＥＤと、青色の光を射出するＬＥＤとを含み、これらの光が混ざり合った白色光を射出する。このバックライト４５は、制御信号Ｓctrlに基づいて、発光輝度を変更可能に構成されている。具体的には、制御信号Ｓctrlに基づいて、これらのＬＥＤに駆動電流Ｉ１または駆動電流Ｉ２を流すように構成されている。
【００６１】
表示装置２では、上記実施の形態に係る表示装置１と同様に、輝度情報ＩＮＦの値に応じて、補正テーブルＴ１，Ｔ２、ゲインＧ１，Ｇ２、駆動電流Ｉ１，Ｉ２を切り替える。すなわち、表示装置２では、輝度情報ＩＮＦの値がしきい値ＩＮＦthよりも大きい場合には、ゲインを小さくするとともに駆動電流を大きくし、輝度情報ＩＮＦの値がしきい値ＩＮＦth以下である場合には、ゲインを大きくするとともに駆動電流を小さくする。その際、表示装置２は、駆動電流Ｉ１，Ｉ２に応じて補正テーブルＴ１，Ｔ２を切り替えるようにしたので、画質を高めることができる。すなわち、バックライト４５の各ＬＥＤは、駆動電流が変化すると、輝度が変化するだけでなく、色度が変化するおそれがある。表示装置２では、輝度情報ＩＮＦの値に応じて、駆動電流Ｉ１，Ｉ２を切り替えるとともに、補正テーブルＴ１，Ｔ２を切り替えるようにしたので、駆動電流に応じて色度の変化を補正することができるため、画質を高めることができる。
【００６２】
本実施の形態では、輝度情報の値に応じて、補正テーブルを切り替えるようにしたので、色度を補正することができるため、画質を高めることができる。
【００６３】
［変形例２−１］
上記実施の形態では、制御信号生成部５１は、１フレーム分の輝度情報ＩＮＦの値の平均値ＡＶＧを求めることにより制御信号Ｓctrlを生成し、バックライト４５は、この制御信号Ｓctrlに基づいて発光輝度を変更するようにしたが、これに限定されるものではない。例えば、バックライト４５の発光面を複数の発光領域に分け、制御信号生成部５１は、それらの発光領域に対応する領域ごとに輝度情報ＩＮＦの値の平均値ＡＶＧを求めてもよい。
【００６４】
＜３．適用例＞
次に、上記実施の形態および変形例で説明した表示装置の適用例について説明する。
【００６５】
図９は、テレビジョン装置の外観を表すものである。このテレビジョン装置は、本体部１１０および表示部１２０を有しており、表示部１２０が、上記の表示装置により構成されている。
【００６６】
上記実施の形態等の表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の表示装置は、映像を表示するあらゆる分野の電子機器に適用することが可能である。
【００６７】
以上、いくつかの実施の形態および変形例、ならびに電子機器への適用例を挙げて本技術を説明したが、本技術はこれらの実施の形態等には限定されず、種々の変形が可能である。
【００６８】
上記の実施の形態等では、本技術をテレビジョン装置に適用したが、これに限定するものではなく、画像を表示する様々な装置に適用することができる。具体的には、例えば、サッカー場や野球場などに設置される大型のディスプレイに適用してもよい。
【００６９】
なお、本明細書に記載された効果はあくまで例示であって限定されるものでは無く、また他の効果があってもよい。
【００７０】
なお、本技術は以下のような構成とすることができる。
【００７１】
（１）複数の補正テーブルを有し、第１の輝度情報に基づいて前記複数の補正テーブルのうちの１つを選択し、選択した補正テーブルを用いて前記第１の輝度情報に対して補正演算を行うことにより第２の輝度情報を生成する補正部と、
前記第２の輝度情報に基づいて表示を行う表示部と
を備えた表示装置。
【００７２】
（２）前記第１の輝度情報に基づいて制御信号を生成する制御信号生成部と、
前記第２の輝度情報に対して、前記制御信号に応じた演算を行うことにより第３の輝度情報を生成する演算部と
をさらに備え、
前記補正部は、前記制御信号に基づいて、前記複数の補正テーブルのうちの１つを選択し、
前記表示部は、前記第３の輝度情報に基づいて表示を行う
前記（１）に記載の表示装置。
【００７３】
（３）前記演算部は、前記第２の輝度情報の値に対して、前記制御信号に応じたゲインを乗算することにより前記第３の輝度情報を生成する
前記（２）に記載の表示装置。
【００７４】
（４）前記表示部は、前記制御信号に応じた輝度で発光する発光素子を有する
前記（２）または（３）に記載の表示装置。
【００７５】
（５）前記表示部は、前記第３の輝度情報に基づいて、前記第３の輝度情報に応じたパルス幅を有するパルス信号を生成し、そのパルス信号に基づいて前記発光素子を駆動する駆動部をさらに有する
前記（４）に記載の表示装置。
【００７６】
（６）のこぎり波形を有する参照信号を生成する信号生成部をさらに備え、
前記駆動部は、前記第３の輝度情報および前記参照信号に基づいて、前記パルス信号を生成する
前記（５）に記載の表示装置。
【００７７】
（７）前記制御信号に応じた輝度で発光するバックライトをさらに備え、
前記表示部は、液晶表示部である
前記（２）または（３）に記載の表示装置。
【００７８】
（８）第１の輝度情報に基づいて複数の補正テーブルのうちの１つを選択し、
選択した補正テーブルを用いて前記第１の輝度情報に対して補正演算を行うことにより第２の輝度情報を生成し、
前記第２の輝度情報に基づいて表示を行う
表示方法。
【００７９】
（９）表示装置と、
前記表示装置に対して動作制御を行う制御部と
を備え、
前記表示装置は、
複数の補正テーブルを有し、第１の輝度情報に基づいて前記複数の補正テーブルのうちの１つを選択し、選択した補正テーブルを用いて前記第１の輝度情報に対して補正演算を行うことにより第２の輝度情報を生成する補正部と、
前記第２の輝度情報に基づいて表示を行う表示部と
を有する電子機器。
【符号の説明】
【００８０】
１，２…表示装置、１１，４１…タイミング制御部、１２，４２…表示駆動部、１３…表示部、２０，５０…画像処理部、２１，５１…制御信号生成部、２２…補正部、２３…演算部、３０…駆動部、３１…制御部、４０，４０Ｒ，４０Ｇ，４０Ｂ…発光素子、４３…走査部、４４…液晶表示部、４５…バックライト、３２１〜３２３…コンパレータ、３３１〜３３３…スイッチ制御部、３４１〜３４６…電流源、３５１〜３５６…スイッチ
Ｇ１，Ｇ２…ゲイン、ＩＮＦ，ＩＮＦＲ，ＩＮＦＧ，ＩＮＦＢ，ＩＮＦ２，ＩＮＦＲ２，ＩＮＦＧ２，ＩＮＦＢ２，ＩＮＦ３，ＩＮＦＲ３，ＩＮＦＧ３，ＩＮＦＢ３…輝度情報、Ｐix，Ｐix2…画素、Ｓctrl…制御信号、Ｓig，Ｓig2…画素信号、Ｓpic，Ｓpic2，Ｓpic3…画像信号、ＳＲ，ＳＧ，ＳＢ…パルス信号、Ｓref…参照信号、Ｔ１，Ｔ２…補正テーブル。
【図１】
2016212239.tif 000003
【図２】
2016212239.tif 000004
【図３】
2016212239.tif 000005
【図４】
2016212239.tif 000006
【図５】
2016212239.tif 000007
【図６】
2016212239.tif 000008
【図７】
2016212239.tif 000009
【図８】
2016212239.tif 000010
【図９】
2016212239.tif 000011